(57)【特許請求の範囲】
【請求項１】
筆記具の筆記軸内において、径大部と共に、該径大部先端に径小部を形成する一方、
該筆記具の筆記軸に組み付けられる尾栓を、先端に小径部を有する内筒体と、該内筒体外周に配設されるリブ部を介して一体に構成される外筒体とからなると共に、上記内筒体と外筒体の間に形成され、外筒体を連通する空間を空気流通路としてなるものとして、
上記筆記具の筆記軸と該尾栓とを、該尾栓を筆記軸内の径大部に挿嵌すると共に、内筒体の先端に有する小径部を該径大部先端に形成される径小部内に密嵌することにより一体としてなる筆記具の尾栓の組付構造。
【請求項２】
上記外筒体と一体となって筆記具の尾栓を構成し、筆記軸内の径大部への挿嵌と共に、その先端に形成される径小部に密嵌することとなる内筒体の小径部の軸方向の長さを２ｍｍ以下としてなる尾栓を有する請求項１記載の筆記具の尾栓の組付構造。
【発明の詳細な説明】
【０００１】
【発明の属する技術分野】
この発明は、筆記具を構成する筆記軸の後端において、筆記軸内の気密性を維持し、インク漏出を防止するために組み付けられる尾栓の組付構造に関する。
【０００２】
【従来の技術】
従来、、筆記具を構成する筆記軸の後端において、筆記軸内の気密性を維持するために組み付けられる尾栓は、単に熱によるインクの漏出や乾燥を防止するために筆記具を構成する筆記軸内の気密性を十分に確保することを目的として組み付けられていた蓋体から、幼児等が尾栓を誤って嚥下してしまって喉や気管支に詰まらせてしまった場合にも空気の流通を可能として気道の閉塞を回避できるように、この尾栓に空気流通路を形成してなるものが提案されている（実登２５１０２９８号）。
【０００３】
【発明が解決しようとする課題】
しかしながら、上記従来の実登２５１０２９８号の場合のように、筆記具を構成する軸内の気密性を維持するために組み付けられる尾栓に空気流通路を形成してなるものの場合、確かにこの尾栓が何等かの原因により軸から脱離して、幼児等が尾栓を誤って嚥下してしまって喉や気管支に詰まらせてしまった時でも空気の流通を可能として気道の閉塞を回避することができるものであるが、この筆記具の後端に組み付けられる尾栓は、筆記具を構成する軸の後端面との間で気密保持しなければならないが、筆記具内の気密性を維持するための尾栓と筆記具の軸との接触面積が小さく、また尾栓の変形により空隙等が生じるので、インク充填部を有する筆記具の軸内の気密性が不安定なものとなり易い欠点がある。
【０００４】
また、筆記具の軸の後側面の一部を尾栓内に挟持して圧入する方法では、筆記具の軸の圧入の際に尾栓は径方向に拡大することとなるため、尾栓と筆記具の軸との嵌合強度は著しく上昇しても、尾栓自体の柔軟性が損なわれるため、尾栓を筆記具の軸に組み付ける作業が困難となる欠点もある。
【０００５】
そこで、この発明は上記従来のものの持つ欠点や問題を改善するものであり、筆記軸内の気密性を確実に確保しつつ、尾栓の組み付け作業自体を簡易且つ正確に行うようにした上で、幼児等の誤飲事故に対して、空気の流通を確保して気道の閉塞を回避し、幼児等の安全を守ろうとするものである。
【０００６】
【課題を解決するための手段】
そのために、筆記具の筆記軸内において、径大部と共に、該径大部先端に径小部を形成する一方、
該筆記具の筆記軸に組み付けられる尾栓を、先端に小径部を有する内筒体と、該内筒体外周に配設されるリブ部を介して一体に構成される外筒体とからなると共に、上記内筒体と外筒体の間に形成され、外筒体を連通する空間を空気流通路としてなるものとして、
上記筆記具の筆記軸と該尾栓とを、該尾栓を筆記軸内の径大部に挿嵌すると共に、内筒体の先端に有する小径部を該径大部先端に形成される径小部内に密嵌することにより一体としてなるものであって、更に、上記外筒体と一体となって筆記具の尾栓を構成し、筆記軸内の径大部への挿嵌と共に、その先端に形成される径小部に密嵌することとなる内筒体の小径部の軸方向の長さを２ｍｍ以下としてなるものである。
【０００７】
【発明の実施の形態】
この発明の実施にあたり、筆記軸内の径大部内に挿嵌することにより、尾栓を構成する外筒体と共に尾栓を構成する内筒体先端の小径部は、上記筆記軸内の径大部先端に形成される径小部内に密嵌し、また、筆記軸の後端縁に係止する尾栓を内筒体の小径部が筆記軸内の径小部との間では確実に接触が生じるものとなって、筆記軸内の気密性を確実に確保することができるものとなる上、尾栓を筆記軸内において強固にしかも簡易且つ正確に組み付けることができる。
【０００８】
更に、筆記軸への尾栓の組み付けは、尾栓を構成する内筒体の先端の小径部と、筆記軸内の径大部の先端に形成される径小部の係止により強固に行われているため、尾栓自体の筆記軸からの脱出を防止でき、空気の流通を確保する空気流通路を、尾栓を構成する内筒体と外筒体との間に形成される空間としてなるから、万が一尾栓が筆記軸から脱出して幼児等が誤飲して喉や気管支に尾栓を詰まらせてしまっても、上記小径部の軸方向の長さを２ｍｍ以下とし、空気通路の断面積を大きく（通気面積３．４平方ｍｍ以上）できるので、余裕を持って最低限の空気の流通を確保することができ、気道の閉塞等の状態を回避することができる（通気キャップ規格）。
【０００９】
【実施例】
この発明を図に示す実施例により更に説明する。（１）はこの発明の実施例である筆記具の尾栓を具える筆記具であり、この筆記具（１）は、先端に、筆記軸（３）内部のインク貯溜部（５）からインクを導出させるペン先（４）を、その後端では上記筆記軸（３）内の気密性を維持する、この発明の筆記具の尾栓（８）を組み付けてなる筆記軸（３）と、この筆記軸（３）先端のペン先（４）を被覆するキャップ（２）からなるものである。更に、この発明の筆記具の尾栓（８）は、筆記具（１）の筆記軸（３）内の径大部（６）内に挿嵌することで、その径大部（６）の先端に形成される径小部（７）に密嵌する小径部（１０）を先端に有する内筒体（９）と、後端に筆記軸（３）の後端縁（１５）に係止する係止突縁（１２）を有し、この内筒体（９）の外周の先端部又は後端部のいずれか一方に配設されるリブ（１３）を介して内筒体（９）と一体に形成される外筒体（１１）より構成される。
【００１０】
そして、上記内筒体（９）と外筒体（１１）の間に形成される空間を空気流通路（１４）とすると共に、上記外筒体（１１）と一体となって筆記具（１）の尾栓（８）を構成し、筆記軸（３）内の径大部（６）への挿嵌と共に、その径大部（６）の先端に形成される径小部（７）に密嵌する内筒体（９）先端の小径部（１０）の長さＸとした場合に、その内筒体（９）先端の軸方向の長さＸを２ｍｍ以下としてなるものである。
【００１１】
この発明の実施例は上記筆記軸（３）と尾栓（８）より構成されるので、この筆記具の尾栓（８）を筆記具（１）の筆記軸（３）内に組み付けるにあたっては、この筆記軸（３）の径大部（６）内に筆記具の尾栓（８）を挿嵌することにより、この筆記具の尾栓（８）を構成する外筒体（１１）の外周後方に有する係止突縁（１２）が筆記軸（３）の後端縁（１５）に係止すると共に、この外筒体（１１）と共に筆記具の尾栓（８）を構成する内筒体（９）先端の小径部（１０）は、上記筆記軸（３）内の径大部（６）先端に形成される径小部（７）内に密嵌し、特に内筒体（９）先端の小径部（１０）の軸方向の長さＸは２ｍｍ以下であるので、筆記軸（３）の後端縁（１５）に係止する、筆記具の尾栓（８）を内筒体（９）と共に構成する外筒体（１１）の外周の係止突縁（１２）による係止とを合わせて、筆記軸（３）内の径小部（７）との間では確実に互いに接触が生じるものとなって、筆記軸（３）内の気密性を確実に確保することができるものとなり、筆記具の尾栓（８）を筆記軸（３）内において強固にしかも簡易且つ正確に組み付けることができる。
【００１２】
その上、上述したように筆記具（１）の筆記軸（３）への、尾栓（８）の組み付けは、この尾栓（８）を構成する内筒体（９）の先端の小径部（１０）と、筆記具（１）の筆記軸（３）内の径大部（６）の先端に形成される径小部（７）との密嵌及び、上記内筒体（９）と共に尾栓（８）を構成する外筒体（１１）の外周と上記径大部（６）との嵌合、更には外周の係止突縁（１２）と筆記軸（３）の後端縁（１５）との係止等により強固に行われているため、この発明の実施例である筆記具の尾栓（８）自体の筆記軸（３）からの脱出を確実に防止できる上、空気の流通を確保する空気流通路（１４）を、この発明の実施例である筆記具の尾栓（８）を構成する内筒体（９）と外筒体（１１）との間に形成される空間からなるものとしているから、万が一この尾栓（８）が筆記具（１）の筆記軸（３）から脱出し、幼児等が誤飲して喉や気管支に尾栓（８）を詰まらせてしまっても、空気の流通を確保する空気流通路（１４）の断面積は、この空気が流通する空気流通路（１４）を形成する空間において内筒体（９）と外筒体（１１）とを一体とするリブ（１３）のみが存在して、大きく確保できるものであるので、このような緊急状態に陥っても、余裕を持って最低限の空気の流通をこの内筒体（９）と外筒体（１１）との間に形成される空間である空気流通路（１４）によって確保することができ、気道の閉塞等の危険な状態を回避することができるものとなる。
【００１３】
【発明の効果】
以上のとおり、筆記具の尾栓は筆記軸に対して強固に組み付けられるため容易に脱出しなくなり、幼児等の誤飲事故の根本的な原因を防止することができる共に、万が一何等かの理由によって脱離した尾栓を幼児等が飲み込んで喉や気管支に詰まらせても、空気の流通を確保する空気流通孔の断面積を大きくできるので、気道の閉塞等の状態を回避でき、その安全性を確保することができる優れた効果を有するものである。
【図面の簡単な説明】
【図１】  この発明の実施例である筆記具の全体断面図である。
【図２】  この発明の第１実施例であるリブを先端に配設する筆記具の尾栓における（イ）は上面図、（ロ）は要部拡大断面図、及び（ハ）は下面図である。
【図３】  この発明の第２実施例であるリブを後方に配設する筆記具の尾栓における（イ）は上面図、（ロ）は要部拡大断面図、及び（ハ）は下面図である。
【符号の説明】
１  筆記具
２  キャップ
３  筆記軸
４  ペン先
５  インク貯溜部
６  径大部
７  径小部
８  筆記具の尾栓
９  内筒体
１０  小径部
１１  外筒体
１２  係止突縁
１３  リブ
１４  空気流通路
１５  後端縁
【図１】
0003823236.tif 000002
【図２】
0003823236.tif 000003
【図３】
0003823236.tif 000004